(57)【特許請求の範囲】
【請求項１】
メダル式遊技機の筐体内に設置されて、貯留したメダルを遊技機前扉のメダル払出口からメダル受けへ払い出すメダル払出装置において、
傾斜上面の下方位置に、ローター式の整列払い出し円板を傾斜に沿って収容する払出装置本体と、
払出装置本体の傾斜上面に脱着可能に取付けられ、整列払い出し円板に対応する円形開口部が設けられた傾斜カバーと、
傾斜カバーの円形開口部に連通し、傾斜カバーに脱着可能に設置されてメダルを貯留すると共に、貯留したメダルを払出装置本体内の整列払い出し円板に導くホッパー状のメダル溜めとを具備し、
払出装置本体の傾斜上面には、整列払い出し円板から上方側へ排出されるメダルを、傾斜上面の一方の側面に開口するメダル排出口に導く、上向きで且つ側方に湾曲し、上面側が帯状に開口する弧状凹溝のメダル案内通路が傾斜上面に沿って形成され、
傾斜カバーには、メダル案内通路の弧状凹溝に対応した弧状の帯状開口部が設けられており、
払出装置本体の傾斜上面に傾斜カバーが取付けられた状態で、払出装置本体と傾斜カバーとの間からスライド式のカバーがスライド操作されることにより、メダル案内通路の上面側に固定されて帯状開口部を閉止する一方、この閉止状態からスライド式のカバーが傾斜上面に沿って傾斜方向上流側へ引き抜かれることにより帯状開口部を開放すること、
を特徴とするメダル払出装置。
【請求項２】
請求項１に記載のメダル払出装置において、
前記カバーは透光性材料からなること、
を特徴とするメダル払出装置。
【請求項３】
請求項１又は請求項２に記載のメダル払出装置において、
メダル溜めは、払出装置本体の傾斜上面上での回動により払出装置本体と固定され、固定状態でカバーを固定するカバー固定具兼用構造であること、
を特徴とするメダル払出装置。
【請求項４】
請求項１乃至請求項３の何れかに記載のメダル払出装置において、
カバーには板厚方向に貫通する複数の貫通孔が分散して設けられていること、
を特徴とするメダル払出装置。
【請求項５】
請求項１乃至請求項４の何れかに記載のメダル払出装置において、
メダル案内通路の底板部に、板厚方向に貫通する複数の貫通孔が分散して設けられていること、
を特徴とするメダル払出装置。
【請求項６】
筐体内に設置されたメダル払出装置に貯留したメダルを、筐体に取り付けられた前扉のメダル払出口からメダル受けへ払い出すメダル式遊技機において、
前記メダル払出装置は、
傾斜上面の下方位置に、ローター式の整列払い出し円板を傾斜に沿って収容する払出装置本体と、
払出装置本体の傾斜上面に脱着可能に取付けられ、整列払い出し円板に対応する円形開口部が設けられた傾斜カバーと、
傾斜カバーの円形開口部に連通し、傾斜カバーに脱着可能に設置されてメダルを貯留すると共に、貯留したメダルを払出装置本体内の整列払い出し円板に導くホッパー状のメダル溜めとを具備し、
払出装置本体の傾斜上面には、整列払い出し円板から上方側へ排出されるメダルを、傾斜上面の一方の側面に開口するメダル排出口に導く、上向きで且つ側方に湾曲し、上面側が帯状に開口する弧状凹溝のメダル案内通路が傾斜上面に沿って形成され、
傾斜カバーには、メダル案内通路の弧状凹溝に対応した弧状の帯状開口部が設けられており、
払出装置本体の傾斜上面に傾斜カバーが取付けられた状態で、払出装置本体と傾斜カバーとの間からスライド式のカバーがスライド操作されることにより、メダル案内通路の上面側に固定されて帯状開口部を閉止する一方、この閉止状態からスライド式のカバーが傾斜上面に沿って傾斜方向上流側へ引き抜かれることにより帯状開口部を開放すること、
を特徴とするメダル式遊技機。
【発明の詳細な説明】
【技術分野】
【０００１】
本発明は、パチスロ機と称される回胴式遊技機等のメダル式遊技機に使用されるメダル払出装置、及びこれを用いたメダル式遊技機に関する。
【背景技術】
【０００２】
回胴式遊技機の基本形態の一つとして、遊技機から払い出されるメダルを受けるために正面側へ突出したメダル受けが、前扉正面の最下部に設けられることがある。一方、ホール側の作業として、遊技中に機内のメダル払出装置にメダルを補充する場合があり、その場合は店員が前扉を開放して機内のメダル払出装置内にメダルを補充するが、このとき、開放する前扉の最下部から正面側に突出したメダル受けが、遊技機に向かって座る遊技者の膝などに当たるために、遊技者は前扉の開閉毎に座席から立ち上がる必要があり、これに煩わしさを感じる人が少なくない。
【０００３】
このような状況下で考え出されたのが、前扉正面のメダル受けを、従来の最下位置から上方へ変位させることである（特許文献１乃至３参照）。メダル受けを従来位置から上方へ変位させることにより、前扉を開けるときも遊技者の膝との干渉がなくなり、遊技者が椅子に座ったままで前扉の開閉を行うことが可能となる。また、メダル受けが上方へ変位することにより、その下にドル箱を置くスペースの確保が可能となる。メダル受けを上方へ変位させることと合わせて、前扉を上下方向で複数に分割し、下の前扉を閉めたままでメダル補充を可能とした機種も提案されている。また、本願出願人は、ドル箱用スペースを確保するオリジナル技術を提案しており、既にその特許権を取得している（特許文献４参照）。
【０００４】
ところで、前扉正面のメダル受けを、従来の最下位置から上方へ変位させた場合に問題になるのが、筐体の底板上に設置されているメダル払出装置との位置関係である。ホッパーユニットとも呼ばれるメダル排出装置は、スクープと呼ばれるメダル溜めに貯留されたメダルをロータ式の整列払い出し円板により一枚ずつ高速で弾き飛ばしてメダル払出口から排出させる装置であり、前扉正面のメダル受けが上方へ変位しても、大きさ、重さなどの関係から従来どおり筐体の底板上に設置される。その結果、メダル払出装置は、メダル受けと共に上方へ変位したメダル払出口までメダルを導くために、相当長い距離のメダル案内通路を必要とするようになる。
【０００５】
そうなると、メダル払出装置のメダル案内通路におけるメダル詰まりの発生が問題となり、その案内通路が上向きだけに詰まりの発生が頻発するおそれがある。このため、メダル案内通路においてメダル詰まりが発生しにくく、詰まり発生した場合はその詰まりを迅速に解消できる工夫が必要となる。
【先行技術文献】
【特許文献】
【０００６】
【特許文献１】特開２００８−０２９４８２号公報
【特許文献２】特開２００８−２０６８３９号公報
【特許文献３】特開２００５−０３４６２８号公報
【特許文献４】特許４４１６０９２号（特願２００９−１８６２２５）
【発明の概要】
【発明が解決しようとする課題】
【０００７】
本発明は、このような事情に鑑みてなされたもので、上方へ向かう長距離のメダル案内通路を有するにもかかわらず、そのメダル案内通路でメダルが詰まった場合にその詰まりを簡単に解消できるメダル払出装置を提供することを目的とする。
【０００８】
本発明の別の目的は、前扉正面のメダル受けが上方へ変位し、上方へ向かう長距離のメダル案内通路を有するにもかかわらず、そのメダル案内通路でのメダルが詰まり簡単に解消できるメダル式遊技機を提供することにある。
【課題を解決するための手段】
【０００９】
上記目的を達成するために、本発明のメダル払出装置は、メダル式遊技機の筐体内に設置されて、貯留したメダルを遊技機前扉のメダル払出口からメダル受けへ払い出すメダル払出装置において、傾斜したローター式の整列払い出し円板を収容し、その傾斜に沿って上面が傾斜した払出装置本体と、払出装置本体の傾斜上面上に脱着可能に設置されてメダルを貯留すると共に、貯留したメダルを払出装置本体内の整列払い出し円板に導くホッパー状のメダル溜めとを具備しており、前記払出装置本体の少なくとも傾斜上面部が整列払い出し円板から傾斜上面に沿って上方側へ延出し、その延出部に、メダルをメダル受けへ導くための上向きのメダル案内通路が傾斜上面に沿って形成されると共に、前記メダル案内通路の上面側が長手方向に沿って帯状に開口し、その帯状開口部が脱着可能なカバーにより閉止されることを構成上の特徴点とする。
【００１０】
請求項１に係る本発明のメダル払出装置は、上記の目的を達成するために、メダル式遊技機の筐体内に設置されて、貯留したメダルを遊技機前扉のメダル払出口からメダル受けへ払い出すメダル払出装置において、傾斜上面の下方位置に、ローター式の整列払い出し円板を傾斜に沿って収容する払出装置本体と、払出装置本体の傾斜上面に脱着可能に取付けられ、整列払い出し円板に対応する円形開口部が設けられた傾斜カバーと、傾斜カバーの円形開口部に連通し、傾斜カバーに脱着可能に設置されてメダルを貯留すると共に、貯留したメダルを払出装置本体内の整列払い出し円板に導くホッパー状のメダル溜めとを具備し、払出装置本体の傾斜上面には、整列払い出し円板から上方側へ排出されるメダルを、傾斜上面の一方の側面に開口するメダル排出口に導く、上向きで且つ側方に湾曲し、上面側が帯状に開口する弧状凹溝のメダル案内通路が傾斜上面に沿って形成され、傾斜カバーには、メダル案内通路の弧状凹溝に対応した弧状の帯状開口部が設けられており、払出装置本体の傾斜上面に傾斜カバーが取付けられた状態で、払出装置本体と傾斜カバーとの間からスライド式のカバーがスライド操作されることにより、メダル案内通路の上面側に固定されて帯状開口部を閉止する一方、この閉止状態からスライド式のカバーが傾斜上面に沿って傾斜方向上流側へ引き抜かれることにより帯状開口部を開放することを特徴とする。
請求項２に係る本発明のメダル払出装置は、請求項１に記載のメダル払出装置において、前記カバーは透光性材料からなることを特徴とする。
請求項３に係る本発明のメダル払出装置は、請求項１又は請求項２に記載のメダル払出装置において、メダル溜めは、払出装置本体の傾斜上面上での回動により払出装置本体と固定され、固定状態でカバーを固定するカバー固定具兼用構造であることを特徴とする。
請求項４に係る本発明のメダル払出装置は、請求項１乃至請求項３の何れかに記載のメダル払出装置において、カバーには板厚方向に貫通する複数の貫通孔が分散して設けられていることを特徴とする。
請求項５に係る本発明のメダル払出装置は、請求項１乃至請求項４の何れかに記載のメダル払出装置において、メダル案内通路の底板部に、板厚方向に貫通する複数の貫通孔が分散して設けられていることを特徴とする。
請求項６に係る本発明のメダル式遊技機は、筐体内に設置されたメダル払出装置に貯留したメダルを、筐体に取り付けられた前扉のメダル払出口からメダル受けへ払い出すメダル式遊技機において、前記メダル払出装置は、傾斜上面の下方位置に、ローター式の整列払い出し円板を傾斜に沿って収容する払出装置本体と、払出装置本体の傾斜上面に脱着可能に取付けられ、整列払い出し円板に対応する円形開口部が設けられた傾斜カバーと、傾斜カバーの円形開口部に連通し、傾斜カバーに脱着可能に設置されてメダルを貯留すると共に、貯留したメダルを払出装置本体内の整列払い出し円板に導くホッパー状のメダル溜めとを具備し、払出装置本体の傾斜上面には、整列払い出し円板から上方側へ排出されるメダルを、傾斜上面の一方の側面に開口するメダル排出口に導く、上向きで且つ側方に湾曲し、上面側が帯状に開口する弧状凹溝のメダル案内通路が傾斜上面に沿って形成され、
傾斜カバーには、メダル案内通路の弧状凹溝に対応した弧状の帯状開口部が設けられており、払出装置本体の傾斜上面に傾斜カバーが取付けられた状態で、払出装置本体と傾斜カバーとの間からスライド式のカバーがスライド操作されることにより、メダル案内通路の上面側に固定されて帯状開口部を閉止する一方、この閉止状態からスライド式のカバーが傾斜上面に沿って傾斜方向上流側へ引き抜かれることにより帯状開口部を開放することを特徴とする。
【００１１】
カバーは、透光性材料からなる方が好ましく、またスライドによる着脱式が構造及び操作が簡単で好ましい。その場合、メダル溜めは、払出装置本体の傾斜上面上での回動により払出装置本体と固定され、固定状態でカバーを固定する構造が好ましい。この構造によると、メダル溜めがカバーの固定具を兼ねることになり、構造及び装置が簡単となる。
【００１２】
カバー又はメダル案内通路もしくはそれらの両方には板厚方向に貫通する複数の貫通孔を分散して設けるのがよい。こうすることにより、メダルとの摩擦を小さくすることができると共に、貫通孔が異物の排出孔となるので、異物の蓄積、これによるメダル詰まりなどを軽減することができる。
【発明の効果】
【００１３】
本発明のメダル払出装置は、メダル溜めが脱着可能に取付けられる払出装置本体の傾斜上面部が上方側へ延出し、その延出部に、メダルをメダル受けへ導くための上向きのメダル案内通路が設けられているので、前扉の比較的高い位置にメダル受けが設けられている場合も、そのメダル受けにメダルを導くことができる。また、メダル案内通路の上面側が帯状に開口すると共に、その帯状開口部が、透光性材料からなる脱着可能なカバーにより閉止されているので、メダル案内通路内を直接目視でき、メダル詰まりを即座に認識できる。更に、メダル詰まりが認識された場合は、カバーを取り外すことにより通路内が露出するので、そのメダル詰まりを迅速に解消することができる。
【００１４】
また、本発明のメダル式遊技機は、上記メダル払出装置を装備することにより、前扉の比較的高い位置にメダル受けを設けることができので、メダル補充等の際に前扉を開閉する場合にも遊技者が座席から離れる必要がない。メダル払出装置における上向きのメダル案内通路が長くなり、メダル詰まりが発生しやすくなるが、そのメダル詰まりを即座に認識でき、且つそのメダル詰まりを簡単に解消することができる。
【図面の簡単な説明】
【００１５】
【図１】本発明の実施形態に係るメダル払出装置を備えた回胴式遊技機の斜視図である。
【図２】同回胴式遊技機の正面図で、前扉を外した状態を示す。
【図３】同回胴式遊技機の縦断側面図である。
【図４】同回胴式遊技機に装備されたメダル払出装置の斜視図である。
【図５】同メダル払出装置の別の斜視図で、メダル溜めの取り外し操作を示す。
【図６】同メダル払出装置の更に別の斜視図で、メダル溜めを取り外した状態を示す。
【図７】同メダル払出装置における払出装置本体の斜視図である。
【図８】同払出装置本体におけるカバーの取付け構造を示す平面図である。
【図９】同払出装置本体におけるカバーの取り外し動作を示す平面図である。
【図１０】同払出装置本体に対するメダル溜め及びカバーの固定機構を示す底面図である。
【図１１】同払出装置本体に対するメダル溜め及びカバーの固定動作を示す底面図である。
【発明を実施するための形態】
【００１６】
以下、本発明の実施形態を図面に基づいて詳細に説明する。
【００１７】
本実施形態のメダル払出装置は、回胴式遊技機に使用されている。その回胴式遊技機は、図１〜図３に示すように、前面が開放した筐体１０と、その前面開口部を開閉する片開き式の前扉２０とを備えている。前扉２０は上、中、下の３段セパレート構造になっている。中扉２０Ｂの最下部に、メダル受け２１が正面側に突出して形成されている。メダル受け２１の左側は灰皿２２である。メダル受け２１及び灰皿２２が中扉２０Ｂの最下部に形成されたことにより、それらの下に空間が形成されており、ここにはドル箱が収容可能である。メダル受け２１の下の下扉２０Ａには、進退可能なカップホルダー２３が設けられている。
【００１８】
中扉２０Ｂの中段部は正面側へテーブル状に突出した操作部２４である。操作部２４の上面は操作面であり、ここにはメダル投入部２５、ストップスイッチ、スタートスイッチなどのスイッチ類が設けられている。メダル投入部２５は複数枚のメダルを一括して投入する投げ込み方式である。中扉２０Ｂの上段部はドラム覗き窓２６である。上扉２０Ｃの正面には液晶表示部２７が設けられている。液晶表示部２７の両側にはスピーカー２８が、上側には発光表示部などが設けられている。
【００１９】
筐体１０内の底板上にはメダル払出装置３０が設置されている。その上には水平軸回りに回転しその軸方向に配列された複数個のドラム４０が、筐体１０内の中段部に位置して設けられている。筐体１０内の上段部は制御部５０である。上扉２０Ｃは制御部５０の専用開閉扉であり、中扉２０Ｂはドラム４０のメンテナンス、メダル払出装置３０へのメダル補充などに使用される。下扉２０Ａは、メダル払出装置３０のメンテナンス、メダル払出装置３０に詰まったメダルＭの除去作業のときなどに開閉される。
【００２０】
メダル払出装置３０は、図４〜図７に示すように、約４５度傾斜したローター方式の整列払い出し円板３１Ａを内蔵する払出装置本体３０Ａと、整列払い出し円板３１Ａに供給するメダルＭを貯留するために払出装置本体３０Ａの上に脱着可能に取付けられたホッパー状のメダル溜め３０Ｂとを備えている。払出装置本体３０Ａは、前述したとおり、筐体１０内の底板上に設置されている。一方、前扉２０のメダル受け２１は従来より上方へ変位し、メダル払出口２１ａも上方へ変位している。このレベル差を吸収するために、払出装置本体３０Ａは、約４５度の角度で傾斜した傾斜上面の近傍部分が、傾斜方向上流側へ厚板状に延出しており、厚板状の延出部３２Ａの一方の側面には、スリット状のメダル排出口３３Ａが設けられている。
【００２１】
そして、このメダル払出装置３０は、スリット状のメダル排出口３３Ａを正面に向けた横向き姿勢で筐体１０内の底板上に設置されており、より詳しくは、そのメダル排出口３３Ａが、前扉２０の背面側に取付けられたガイド部２９を介して、閉止された前扉２０のメダル受け２１の奥に設けられたメダル払出口２１ａに連通するように、横向き姿勢で筐体１０内の底板上に設置されている（図２及び図３参照）。
【００２２】
払出装置本体３０Ａの傾斜上面には、脱着可能な傾斜カバー３０ａが取付けられている。該カバー３０ａには、整列払い出し円板３１Ａに対応する円形開口部３１ａが設けられている。
【００２３】
ホッパー方式のメダル溜め３０Ｂは、メダルを溜めるカップ部３１Ｂと、カップ部３１Ｂを払出装置本体３０Ａの傾斜上面に固定するために傾斜カバー３０ａの上面に当接するフランジ状の傾斜底板部３２Ｂとを有している。カップ部３１Ｂ内は、その底部に傾斜して設けられた円形開口部３３Ｂを介して傾斜カバー３０ａの円形開口部３１ａに連通している。傾斜底板部３２Ｂの下面には、図１０及び図１１に示すように、複数の爪部３４Ｂが円形開口部３３Ｂを取り囲むように設けられている。そして、傾斜底板部３２Ｂを傾斜カバー３０ａに当接させることにより、傾斜カバー３０ａの円形開口部周囲に設けられた複数の円弧状スリット３２ａに複数の爪部３４Ｂが挿入され、この状態でメダル溜め３０Ｂを円形開口部３１ａ，３３Ｂの中心回りに回転させることにより、複数の爪部３４Ｂが傾斜カバー３０ａに係合し、払出装置本体３０Ａの傾斜カバー３０ａ上にホッパー方式のメダル溜め３０Ｂが固定される。
【００２４】
なお、図１０及び図１１は払出装置本体３０Ａから取り外された傾斜カバー３０ａとその上のメダル溜め３０Ｂとを下からから上を見た底面図である。
【００２５】
払出装置本体３０Ａは又、図８及び図９に示すように、ローター方式の整列払い出し円板３１Ａから排出されるメダルＭをメダル排出口３３Ａに導くために、整列払い出し円板３１Ａから厚板状の延出部３２Ａにかけて設けられた上向きで且つ側方に湾曲した弧状のメダル案内通路３４Ａを有している。メダル案内通路３４Ａは、傾斜カバー３０ａを外した払出装置本体３０Ａの傾斜上面３５Ａに形成された凹溝であり、より具体的には、整列払い出し円板３１Ａから、延出部３２Ａの一方の側面に開口するスリット状のメダル排出口３３Ａにかけて設けられている。
【００２６】
メダル案内通路３４Ａの溝幅は、メダルＭがスムーズに移動するように、メダルＭの直径より僅かに大である。払出装置本体３０Ａ内の傾斜した整列払い出し円板３１Ａは、傾斜上面３５Ａに形成された円形開口部、傾斜カバー３０ａに設けられた円形開口部３１ａを通して払出装置本体３０Ａ外に露出している。
【００２７】
なお、図８及び図９は傾斜カバー３０ａを取り外した状態の払出装置本体３０Ａを傾斜上面３５Ａに直交する方向からみた図面である。
【００２８】
メダル案内通路３４Ａの上面側は、両端部を除いて帯状に開口しており、その帯状開口部は脱着可能なカバー３０Ｃにより閉止される。カバー３０Ｃは透光性樹脂、ここでは透明樹脂からなり、メダル案内通路３４Ａの帯状開口部に対応した弧状の本体部３１Ｃと、本体部３１Ｃの傾斜方向上流側の端部から傾斜に沿って上流側へ延出した操作部３２Ｃとからなる。このカバー３０Ｃはスライド式であり、前記傾斜上面３５Ａの傾斜方向上流側から下流側へスライド操作されることにより、メダル案内通路３４Ａの上面側に固定されて通路の帯状開口部を閉止し、この状態から前記傾斜上面３５Ａに沿って傾斜方向上流側へ引き抜かれることにより通路の帯状開口部を開放する。閉止位置では、カバー３０Ｃにおける操作部３２Ｃの先端部分が、前記傾斜上面３５Ａの端縁より上流側に突出する。３６Ａ，３６Ａはカバー３０Ｃを閉止位置に固定する固定部を兼ねたガイドであり、メダル案内通路３４Ａの両端側に設けられている。なお、カバー３０Ｃは透光性を有することがベターではあるが、そうでなくてもよい。
【００２９】
カバー３０Ｃの本体部３１Ｃには円形の過通孔３３Ｃが複数設けられている。同様に、メダル案内通路３４Ａの底板部に円形の貫通孔３７Ａが複数設けられている。これらの貫通孔３３Ｃ，３７ＡはメダルＭとの間の摩擦軽減、異物排出などを目的としている。
【００３０】
払出装置本体３０Ａの傾斜カバー３０ａには、メダル案内通路３４Ａの両端部を除く帯状部分に対応した弧状の帯状開口部３３ａが設けられている。また、その帯状開口部３３ａより上流側の縁部近傍に弧状のスリット３４ａが設けられている。一方、メダル受け３０Ｂの傾斜底板部３２Ｂの下面には、弧状のスリット３４ａに挿入されるストッパー３５Ｂが突設されている。そして、払出装置本体３０Ａの傾斜カバー３０ａ上にホッパー状のメダル溜め３０Ｂを固定するに際して、両者を重ねたとき、メダル受け３０Ｂの傾斜底板部３２Ｂの下面に突設されたストッパー３５Ｂがスリット３４ａの一端部に挿入され、この状態でメダル溜め３０Ｂを円形開口部３１ａ，３３Ｂの中心回りに回転させることにより、ストッパー３５Ｂがスリット３４ａの他端部に移動し、カバー３０Ｃの本体部３１Ｃと操作部３２Ｃの連結部に当接する。これにより、カバー３０Ｃは上流側への移動が阻止される。
【００３１】
次に、本実施形態のメダル払出装置３０を備えた回胴式遊技機の機能を、メダル払出装置３０の機能を中心として説明する。
【００３２】
回胴式遊技機の筐体１０内の底板上にメダル払出装置３０は横向きに設置されている。メダル払出装置３０の払出装置本体３０Ａ上にセットされたホッパー方式のメダル溜め３０Ｂ内にメダルＭが貯留されている。遊技の進行に伴って払出装置本体３０内の整列払い出し円板３１Ａが作動して所定枚数のメダルＭが、メダル溜め３０Ｂ内から整列払い出し円板３１Ａ、上向きのメダル案内通路３４Ａを経由してメダル排出口３３Ａから排出される。メダル排出口３３Ａから排出されたメダルＭは、前扉２０の背面に取付けられたガイド部２９を介して正面側のメダル払出口２１ａからメダル受け２１に排出される。
【００３３】
メダル払出装置３０のメダル溜め３０Ｂ内にメダルＭを補充するときは、前扉２０のうちの中扉２０Ｂを開ける。メダル払出装置３０は下扉３０Ａ及び中扉２０Ｂの背面側にあるので、中扉２０Ｂを開けることにより、メダル溜め３０Ｂ内にメダルＭを補充することが可能である。中扉２０Ｂを開けても遊技者の膝との干渉はないので、遊技者は座席から離れる必要がない。また、メダルを入れるドル箱も、そのまま置いた状態で、中扉２０Ｂを開閉可能である。
【００３４】
前扉２０正面のメダル受け２１は中扉２０Ｂの下部に設けられているとはいえ、従来よりも上部に設けられている。このため、メダル払出装置３０の払出装置本体３０Ａには、比較的長い上向きのメダル案内通路３４Ａが形成されている。このため、メダル案内通路３４ＡにメダルＭが詰まる頻度が高くなる。メダル案内通路３４ＡにメダルＭが詰まると、メダルＭの払い出しが行われなくなるので、遊技者はホールの店員を呼ぶ。店員は、前扉２０のうちの中扉２０Ｂだけを開ける。中扉２０Ｂの正面側下部にはメダル受け２１が突設されているが、従来の位置より上方へ変位しているので、中扉２０Ｂを開けても遊技者の膝との干渉がない。このときも遊技者は座席から離れる必要がない。
【００３５】
下扉２０Ａ及び中扉２０Ｂを開けると、メダル払出装置３０及びその上のドラム４０などが露出する。図４に示すように、露出したメダル払出装置３０を機外に取り出し、メダル溜め３０Ｂの回転を阻止するロックねじ３６Ｂを外す。次いで図５に示すように、メダル溜め３０Ｂをアンロック方向へ僅かに回転させる。そうすると、図６に示すように、メダル溜め３０Ｂを払出装置本体３０Ａに固定する爪部３４Ｂが、払出装置本体３０Ａの傾斜カバー３０ａから外れ、円弧状スリット３２ａから抜け出ることにより、メダル溜め３０Ｂが払出装置本体３０Ａから分離し、払出装置本体３０Ａの傾斜上面３５Ａ上に重ねられた傾斜カバー３０ａが露出する。同時に、メダル溜め３０Ｂのストッパー３５Ｂが弧状のスリット３４ａ内を他端側から一端側へ移動し、スリット３４ａから抜け出ることにより、カバー３０Ｃの傾斜方向上流側への引抜きが可能となる。
【００３６】
払出装置本体３０Ａの傾斜カバー３０ａが露出すると、透明なカバー３０Ｃを通してメダル案内通路３４Ａ内の目視確認が可能となる。これによりメダル案内通路３４Ａ内におけるメダルＭの詰まりの有無、その状態が直ちに判明する。メダル案内通路３４Ａ内におけるメダルＭの詰まりが判明すると、カバー３０Ｃを傾斜方向上流側へ引き抜く。これによりメダル案内通路３４Ａ内が露出し、詰まったメダルＭを取り除く。作業が終わると、カバー３０Ｃを元の位置へ差し込み、メダル溜め３０Ｂを元の状態に取り付ける。
【００３７】
メダル溜め３０Ｂの取付け取り外しのときと逆の手順で行う。すなわち、図６、図５、図４の順にメダル溜め３０Ｂを操作して払出装置本体３０Ａ上に固定する。この固定に伴って、カバー３０Ｃも装着位置に固定される。
【００３８】
このように、本実施形態のメダル払出装置３０を装備する回胴式遊技機は、前扉２０の正面の比較的高い位置にメダル受け２１が設けられているので、遊技者の膝との干渉がない。このため、前扉２０を開閉するときに遊技者は座席を離れる必要がない。メダル受け２１の下にドル箱を置くスペースも確保されており、メダル受け２１に設けられたスライドレバー２１ｂを操作して、メダルＭをスライド穴２１ｃから落下させることにより、ドル箱への移し替えも容易となる。
【００３９】
前扉２０の正面におけるメダル受け２１を上方へ変位させたことと引き換えに、メダル払出装置３０ではメダル案内通路３４Ａが上方へ延び、メダル詰まりの発生頻度が高くなる危険性はあるが、仮にメダル詰まりが発生したとしても、メダル払出装置３０の払出装置本体３０Ａからメダル溜め３０Ｂを取り外すだけで、透明なカバー３０Ｃを通してメダル案内通路３４Ａの内部を目視でき、カバー３０の取り外しも容易であるので、詰まりを簡単に解消することができる。
【００４０】
メダル払出装置３０の払出装置本体３０Ａにおける延出部３２Ａは、上記実施形態では傾斜上面３５Ａの近傍に形成された厚板状であるが、払出装置本体３０Ａの全体を傾斜上面３５Ａの上流側へ延出させることも可能である。ただし、上記実施形態のように、延出部３２Ａを傾斜上面３５Ａの近傍に形成された厚板状とした場合は、その下の空間を有効利用することが可能となる（図２参照）。
【符号の説明】
【００４１】
１０  筐体
２０  前扉
２０Ａ  下扉
２０Ｂ  中扉
２０Ｃ  上扉
２１  メダル受け
２１ａ  メダル払出口
２１ｂ  スライドレバー
２１ｃ  スライド穴
２２  灰皿
２３  カップホルダー
２４  操作部
２５  メダル投入部
２６  覗き窓
２７  液晶表示部
２８  スピーカー
２９  ガイド部
３０  メダル払出装置
３０Ａ  払出装置本体
３１Ａ  整列払い出し円板
３２Ａ  延出部
３３Ａ  メダル排出口
３４Ａ  メダル案内通路
３５Ａ  傾斜上面
３６Ａ  ガイド
３７Ａ  貫通孔
３０ａ  傾斜カバー
３１ａ  円形開口部
３２ａ  円弧状スリット
３３ａ  帯状開口部
３４ａ  スリット
３０Ｂ  メダル溜め
３１Ｂ  カップ部
３２Ｂ  傾斜底板部
３３Ｂ  円形開口部
３４Ｂ  爪部
３５Ｂ  ストッパー
４０  ドラム
５０  制御部
【要約】
【課題】  メダル式遊技機の前扉正面に突設されるメダル受けを上方へ変位させたときに問題となるメダル払出装置におけるメダル詰まりを簡単な操作で解消する。
【解決手段】  傾斜したローター式の整列払い出し円板３１Ａを収容し、その傾斜に沿って上面が傾斜した払出装置本体３０Ａの少なくとも傾斜上面部が整列払い出し円板３１Ａから傾斜上面に沿って上方側へ延出する。その延出部３２Ａに、メダルをメダル受けへ導くための上向きのメダル案内通路３４Ａが傾斜上面に沿って形成される。メダル案内通路３４Ａの上面側が長手方向に沿って帯状に開口する。その帯状開口部３３ａが、透光性材料からなる脱着可能なカバー３０Ｃにより閉止される。
【選択図】  図７【図１】
0004674876.tif 000002
【図２】
0004674876.tif 000003
【図３】
0004674876.tif 000004
【図４】
0004674876.tif 000005
【図５】
0004674876.tif 000006
【図６】
0004674876.tif 000007
【図７】
0004674876.tif 000008
【図８】
0004674876.tif 000009
【図９】
0004674876.tif 000010
【図１０】
0004674876.tif 000011
【図１１】
0004674876.tif 000012